(57)【要約】      （修正有）【課題】斬新なビジュアル効果と美観効果が備わったマフラーの改良構造を提供する。【解決手段】第一表生地、第二表生地及び第一表生地と第二表生地の間に充填する充填物をミシンがけにより形状をなすマフラーの構造。該充填物は羽毛、ダウン、綿或いは羽毛とダウンのミックスを使用することができる。マフラーの第一表生地或いは第二表生地は透明或いは半透明の材質であり、羽毛、ダウンなどの充填物を必要な色に染色し、色彩は透明或いは半透明の第一表生地或いは第二表生地より透けて見える。幼い児童の注目を浴びるため、マフラーを使用する意欲が高まる。【選択図】図１
0003140324.tif 000002
【実用新案登録請求の範囲】
【請求項１】
第一表生地、第二表生地及び充填物を含み、
第一表生地と第二表生地の間に羽毛、ダウン、綿、或いは羽毛とダウンをミックスした充填物がミシンがけで成型され、
該マフラーの第一表生地或いは第二表生地は透明或いは半透明の材質であり、該充填物を必要な色に染色することで、該色彩は透明或いは半透明の第一表生地或いは第二表生地より透けて見えることで、斬新なビジュアル効果及び美観効果が備わることを特徴とするマフラー。
【請求項２】
前記第一表生地或いは第二表生地はプリント処理或いはフロッキング加工処理のものであり、
該透明或いは半透明の第一表生地或いは第二表生地は模様を具有し、
更に前記の染色した充填物を組み合わせることで、一種類或いは一種類以上の色を具有することを特徴とする請求項1記載のマフラー。
【請求項３】
前記第一表生地或いは第二表生地の内層として透明或いは半透明材質の防湿通気性のあるフィルムを貼合することで、ダウンなど比較的細かい繊維の充填物が抜けるのを防止する効果を具有することを特徴とする請求項1記載のマフラー。
【考案の詳細な説明】
【技術分野】
【０００１】
本考案はマフラーの改良構造に関する。マフラーの充填物を染色した色は、透明或いは半透明の材質とする第一表生地或いは第二表生地より透けて見えることで、斬新なビジュアル効果と新鮮味があり、美観効果も同時に備わるマフラーの改良構造に関する。
【背景技術】
【０００２】
従来技術は図1に示すように、第一表生地(31)及び第二表生地(32)に充填する羽毛やダウン、綿など(図に未掲載)により保温効果に達している。時代が進み、マフラーの単純な保温効果或いはマフラーの形状変化だけでは、流行の流れにそぐわなくなり、絶えずハイクォリティのある多様性のある商品が必要である。また、幼少の児童は一般的にマフラーを嫌う傾向があるため、改善する必要があった。
【特許文献１】特開２００５−２７３１０１号公報
【考案の開示】
【考案が解決しようとする課題】
【０００３】
前記従来技術の欠点を解決するため、本考案の第1の目的は、マフラー内に充填する羽毛やダウン、綿などの充填物の色彩が、透明或いは半透明の素材である第一表生地或いは第二表生地より透かして見えるため、斬新なビジュアル効果と美観効果が備わるマフラーの改良構造を提供することにある。
本考案の第2の目的は、該マフラーの充填物は一般的な保温効果を具有するほか、素材により生まれる新鮮感と興味深い感覚によりユーザーを引き付けることで、年少の児童たちも進んでマフラーを使う意欲を高めるマフラーの改良構造を提供することにある。
【課題を解決するための手段】
【０００４】
前記課題を解決するために、本考案はマフラーの改良構造を提供するものであり、透明或いは半透明の第一、第二生地及び、染色した羽毛或いはダウンや綿などの充填物から構成されたものである。
【考案の効果】
【０００５】
従来の保温効果プラス、マフラー内に羽毛(21)、ダウン(22)或いは綿などの染色した充填物を充填し、透明或いは半透明の第一表生地(11)或いは第二表生地(12)より透けて見えることで、斬新なビジュアル効果及び美観効果が備わり、幼い児童もがマフラーを着用する意欲が高まる。
【考案を実施するための最良の形態】
【０００６】
図2と図3に示すのは、本考案のマフラーの改良構造である。第一表生地(11)、第二表生地(12)及び第一表生地(11)及び第二表生地(12)の間に充填する充填物はミシンがけによって完成したマフラー(1)の形状である。該充填物は羽毛(Feather)(21)、ダウン(Down)(22)、充填綿(Polyfill)(図に未掲載)或いは羽毛(21)とダウン(22)をミックスしたものを使用する。本実施例に示す充填物は羽毛(21)とダウン(22)である。
【０００７】
特徴としてあげるのは：該マフラー(1)の第一表生地(11)は透明或いは半透明材質である。羽毛(21)、ダウン(22)などの充填物を必要な色に染色すると、該充填物の色彩は、透明或いは半透明の第一表生地(11)より透けて見えるため、斬新なビジュアル効果と美観効果が備わる。第二表生地(12)も同じく透明或いは半透明の材質であり、同様に羽毛(21)、ダウン(22)の色彩は第二表生地(12)より透けて見えるため、同様に斬新なビジュアル効果と美観効果が備わる。また、幼い児童にとって、その新鮮感や興味深い感覚に注目をするため、身に着けたい意欲が高まる。
【０００８】
更に、前述の第一表生地(11)或いは第二表生地(12)はプリント(図に未掲載)生地或いはフロッキング(図に未掲載)加工処理を施した透明或いは半透明の第一表生地(11)或いは第二表生地(12)に模様を具有し、前述の染色した羽毛(21)、ダウン(22)などの充填物とあわせることで、更なる外観の美感をアップする。
【０００９】
図4に示すのは、前述の第一表生地(11)の内層に透明或いは半透明材質の防湿通気性のあるフィルム(111)を貼合することで、第一表生地(11)の密度が大きく(即ち本数が少ない)ても、ダウン(22)など比較的細い繊維の充填物が抜けるのを防止する効果を具有する。図5に示すのは、前述の第二表生地(12)の内層も、同じく透明或いは半透明材質の防湿通気性のあるフィルム(121)を貼合することができる。
【００１０】
図6が示すように、前述の第二表生地(12)は非透明材質を使用し、該非透明材質の第二表生地(12)の内層に、不織布(122)を貼合する。
【００１１】
前述の羽毛(21)、ダウン(22)或いは綿(図に未掲載)などの充填物は、単一色或いは一色以上の色に染色すれば、相対的に色の変化が増し、異なる美観とビジュアル効果をもたらす。
【図面の簡単な説明】
【００１２】
【図１】従来技術のマフラーの立体図である。
【図２】本考案実施例の立体略図である。
【図３】本考案実施例の部分断面図拡大略図である。
【図４】本考案実施例の防湿通気性のあるフィルムを具有する第一表生地の一部断面拡大略図である。
【図５】本考案実施例の防湿通気性のあるフィルムを具有する第二表生地の一部断面拡大略図である。
【図６】本考案実施例の不織布を連結する第二表生地の一部断面拡大略図である。
【符号の説明】
【００１３】
1  マフラー
11  第一表生地
111、121  防湿通気性のあるフィルム
12  第二表生地
122  不織布
21  羽毛
22  ダウン
【図１】
0003140324.tif 000003
【図２】
0003140324.tif 000004
【図３】
0003140324.tif 000005
【図４】
0003140324.tif 000006
【図５】
0003140324.tif 000007
【図６】
0003140324.tif 000008